(57)【要約】【課題】本発明は、コンテンツ再生装置と、そのプログラム、およびそのコンテンツ再生装置を搭載した自動車に関するもので、再生時の不安感を少なし、映像情報を再生する際の使い勝手を良くすること。【解決手段】そしてこの目的を達成するために本発明は、制御部にユーザからの操作を受け付ける操作部が接続され、制御部は、データ読取部で読み取ったリムーバブルメディア中に、第１の映像情報が存在すると、表示部に、特定規格に基づく再生を選択する特定規格ボタンを表示させ、操作部が特定規格ボタンの操作を受け付けていない状態では、制御部は、リムーバブルメディアに保持された第１の映像情報、および第２の映像情報のリストを、表示部に表示する構成とした。【選択図】図９
2014138347.tif 000002
【特許請求の範囲】
【請求項１】
特定規格に準拠した第１の映像情報、および前記特定規格に準拠しない第２の映像情報が混在記録可能なリムーバブルメディアから映像情報を読み取るデータ読取部と、このデータ読取部から映像情報を取得し、この映像情報を表示部に表示する制御部と、を備え、
前記制御部にユーザからの操作を受け付ける操作部が接続され、
前記制御部は、前記データ読取部で読み取ったリムーバブルメディア中に、前記第１の映像情報が存在すると、前記表示部に、前記特定規格に基づく再生を選択する特定規格ボタンを表示させ、
前記操作部が前記特定規格ボタンの操作を受け付けていない状態では、前記制御部は、前記リムーバブルメディアに保持された前記第１の映像情報、および前記第２の映像情報のリストを、前記表示部に表示するコンテンツ再生装置。
【請求項２】
前記制御部は、前記第１の映像情報に含まれる管理情報に基づき、正しく動作しないファイルは、前記表示部にリスト表示しない請求項１に記載のコンテンツ再生装置。
【請求項３】
前記操作部が前記特定規格ボタンの操作を受け付けると、前記制御部は、前記表示部に前記第１の映像情報のリストを表示する請求項１に記載のコンテンツ再生装置。
【請求項４】
前記操作部が前記映像情報の再生操作を受け付けると、
前記制御部は、前記第１の映像情報に含まれる管理情報に基づき、再生不可と判断したファイルをスキップして前記映像情報を再生する請求項１に記載のコンテンツ再生装置。
【請求項５】
前記制御部は、再生不可と判断したファイル再生をスキップしたことを前記表示部に表示する請求項４に記載のコンテンツ再生装置。
【請求項６】
前記操作部が前記映像情報の再生操作を受け付けると、
前記制御部は、前記第１の映像情報に含まれる管理情報に基づき、再生不可と判断したファイルを再生する際には、そのファイルが正しく動作しない可能性があることを前記表示部に表示する請求項１に記載のコンテンツ再生装置。
【請求項７】
請求項１から６のいずれか一つに記載のコンテンツ再生装置を、車内に設けた自動車。
【請求項８】
特定規格に準拠した第１の映像情報、および前記特定規格に準拠しない第２の映像情報が混在記録可能なリムーバブルメディア中に、特定規格に準拠した第１の映像情報が存在すると、表示部に、特定規格に基づく再生を選択する特定規格ボタンを表示させるステップと、
前記操作部が前記特定規格ボタンの操作を受け付けていない状態では、前記リムーバブルメディアに保持された前記第１の映像情報、および前記第２の映像情報のリストを前記表示部に表示するステップと、
をコンピュータに実行させるプログラム。
【発明の詳細な説明】
【技術分野】
【０００１】
本発明は、例えば、ビデオカメラで撮影した映像情報などのコンテンツを再生するコンテンツ再生装置と、そのプログラム、およびそのコンテンツ再生装置を搭載した自動車に関するものである。
【背景技術】
【０００２】
ビデオカメラで撮影された映像情報やＴＶから録画された映像情報は、ＡＶＣＨＤ（登録商標）など特定規格に基づいてリムーバブルメディアなどに記録する製品が多くなっている。なお、ＡＶＣＨＤ（登録商標）は、Ａｄｖａｎｃｅｄ  Ｖｉｄｅｏ  Ｃｏｄｅｃ  Ｈｉｇｈ  Ｄｅｆｉｎｉｔｉｏｎを略した呼称のことである。
【０００３】
また、ビデオカメラで撮影したＡＶＣＨＤ（登録商標）など特定規格に準拠した映像情報、およびその他の映像情報が混在記録された一つのリムーバブルメディアを自動車内などに設置されたコンテンツ再生装置で再生する場合がある。
【０００４】
この時、ビデオカメラで撮影した特定規格に準拠した映像情報、もしくはその他の映像情報のいずれかをユーザが選択し、そのユーザが選択した方のリスト画面を表示するものがある。
【０００５】
さらに、このような映像情報の取り扱いを便利にするため、これらの映像コンテンツの日付別及び時間別のリスト画面を表示するものがある（例えば、下記特許文献１）。
【先行技術文献】
【特許文献】
【０００６】
【特許文献１】特開２０１２−３４２４７号公報
【発明の概要】
【発明が解決しようとする課題】
【０００７】
しかしながら、従来の技術では、ビデオカメラで撮影したＡＶＣＨＤ（登録商標）など特定規格に準拠した映像情報か、その他の映像情報かを選択して再生するしかなく、一つのリムーバブルメディアに記録された全ての映像情報を続けて再生することができず、使い勝手が良くないとの問題があった。
【０００８】
例えば、ユーザは、自動車内で映像情報を搭乗者と楽しむために、自宅のパソコンを使って、映像情報の規格やファイル形式など気にせずに一つのリムーバブルメディアにコピーすることがある。
【０００９】
それを自動車内などに設置したコンテンツ再生装置で全ての映像情報を連続して再生したいとユーザが思っても、従来の技術では、ユーザは、ビデオカメラで撮影した特定規格に準拠した映像情報か、その他の映像情報を選択し、それぞれを再生することしかできない。
【００１０】
さらに、この時、ビデオカメラで撮影した特定規格に準拠した映像情報とその他の映像情報とが同時に再生できないコンテンツ再生装置であることを知らないユーザも想定される。
【００１１】
このようなことを知らないユーザは、自動車に乗る前に、その記録媒体に記録したと思っているのに、それがリスト表示されず、また再生されないと、記録ミスが起きたかとの心配事が発生してしまう。
【００１２】
そこで、本発明は、再生時のユーザの不安感を少なくし、自動車内などに設置したコンテンツ再生装置で映像情報を再生する際の使い勝手を良くすることを目的とするものである。
【課題を解決するための手段】
【００１３】
そしてこの目的を達成するために本発明は、特定規格に準拠した第１の映像情報、および前記特定規格に準拠しない第２の映像情報が混在記録可能なリムーバブルメディアから映像情報を読み取るデータ読取部と、このデータ読取部から映像情報を取得し、この映像情報を表示部に表示する制御部と、を備え、制御部にユーザからの操作を受け付ける操作部が接続され、制御部は、データ読取部で読み取ったリムーバブルメディア中に、第１の映像情報が存在すると、表示部に、特定規格に基づく再生を選択する特定規格ボタンを表示させ、操作部が特定規格ボタンの操作を受け付けていない状態では、制御部は、リムーバブルメディアに保持された第１の映像情報、および第２の映像情報のリストを、表示部に表示する構成とし、これにより所期の目的を達成するものである。
【発明の効果】
【００１４】
以上のように本開示の第１の局面は、特定規格に準拠した第１の映像情報、および前記特定規格に準拠しない第２の映像情報が混在記録可能なリムーバブルメディアから映像情報を読み取るデータ読取部と、このデータ読取部から映像情報を取得し、この映像情報を表示部に表示する制御部と、を備え、制御部にユーザからの操作を受け付ける操作部が接続され、制御部は、データ読取部で読み取ったリムーバブルメディア中に、第１の映像情報が存在すると、表示部に、特定規格に基づく再生を選択する特定規格ボタンを表示させ、操作部が特定規格ボタンの操作を受け付けていない状態では、制御部は、リムーバブルメディアに保持された第１の映像情報、および第２の映像情報のリストを、表示部に表示する構成としたので、再生時のユーザの不安感を少なくし、自動車内などに設置したコンテンツ再生装置で映像情報を再生する際の使い勝手を良くすることができる。
【００１５】
また、本開示の第２の局面は、制御部は、特定規格に含まれる管理情報に基づき、正しく動作しないファイルは、表示部にリスト表示しない構成とするものである。これにより、さらに自動車内などに設置したコンテンツ再生装置で映像情報を再生する際の使い勝手を良くすることができる。
【００１６】
すなわち、例えばＡＶＣＨＤ（登録商標）規格に基づいて記録された映像情報は、映像の初期に、再生映像を選択するメニュー画面が現れるようになっている。例えば、運動会の一シーン、発表会の一シーン、テニス大会の一シーンが現れ、それを選択すれば、希望の映像を再生することが出来る。
【００１７】
しかし、このメニュー画面は、ＡＶＣＨＤ（登録商標）規格に含まれる管理情報に従って再生しなければ、正しく動作しないものである。具体的には、特定規格の管理情報に従わず、そのメニュー画面を一つの映像情報として再生すると、上述したような複数のシーンが表れても、それを選択することが出来ず、ユーザは何が起こったのか理解できない状態となってしまう。
【００１８】
そこで、制御部は、特定規格に含まれる管理情報に基づき、正しく動作しないファイルは、表示部にリスト表示しない構成とする。これにより、ユーザは、リストから再生可能な映像情報のみを選択することができ、自動車内などに設置したコンテンツ再生装置で映像情報を再生する際の使い勝手を良くすることができる。
【図面の簡単な説明】
【００１９】
【図１】本発明の実施形態にかかるコンテンツ再生装置を搭載した自動車を示す斜視図
【図２】本発明の実施形態にかかるコンテンツ再生装置の正面図
【図３】本発明の実施形態にかかるコンテンツ再生装置の制御ブロック図
【図４】本発明の実施形態にかかるコンテンツ再生装置の動作フローチャート
【図５】本発明の実施形態にかかるコンテンツ再生装置の表示状態を示す図
【図６】本発明の実施形態にかかるコンテンツ再生装置の表示状態を示す図
【図７】本発明の実施形態にかかるコンテンツ再生装置の表示状態を示す図
【図８】本発明の実施形態にかかるコンテンツ再生装置の表示状態を示す図
【図９】本発明の実施形態にかかるコンテンツ再生装置の表示状態を示す図
【図１０】本発明の実施形態にかかるコンテンツ再生装置の表示状態を示す図
【図１１】本発明の実施形態にかかるコンテンツ再生装置の表示状態を示す図
【図１２】本発明の実施形態にかかるコンテンツ再生装置の表示状態を示す図
【発明を実施するための形態】
【００２０】
以下、本発明の一実施形態を、添付図面を用いて説明する。
【００２１】
（実施の形態１）
図１、図２において、自動車１の車内２前方には運転席（図示せず）と助手席（図示せず）が設けられ、また、運転席の前方には、ハンドル３が配置されている。
【００２２】
さらに、このハンドル３の側方には、図２に示すコンテンツ再生装置４が配置されている。
【００２３】
図２に示すように、このコンテンツ再生装置４は、前面に表示部５が設けられ、その上方には、光ディスク挿入口６、側方には、図３に示すリムーバブルメディア７を挿入するためのリムーバブルメディア挿入口８が設けられている。
【００２４】
また、図３に示すように、コンテンツ再生装置４内には、リムーバブルメディア７からの映像情報（音情報を含む）を読み取るデータ読取部９が設けられ、このデータ読取部９には、制御部１０が接続されている。
【００２５】
さらに、この制御部１０には、表示部５以外にも、光ディスク読取部１１、操作部１２、１３、スピーカ１４が接続されている。
【００２６】
このうち、操作部１２は、図２の表示部５の外側に配置された操作部である。また、操作部１３は、図２の表示部５にタッチ式として設けられる操作部である。
【００２７】
本実施形態の特徴は、リムーバブルメディア７内に記録された映像情報にあり、その他の部分は、現在周知となっている技術であるので、説明の煩雑化を避けるために、特徴部分について詳細に説明する。
【００２８】
先ず、よく知られているように、リムーバブルメディア７は例えばＡＶＣＨＤ（登録商標）規格に基づいて記録されるビデオカメラ映像情報やＴＶから録画されたＴＶ映像情報は勿論、その他、この規格に基づかない映像情報も、混在した状態で記録することができる。
【００２９】
したがって、車内２において、ユーザが、このリムーバブルメディア７をリムーバブルメディア挿入口８に挿入すると、制御部１０は、データ読取部９を介して、リムーバブルメディア７内に記録された各映像情報を読み取り、次に、各映像情報が管理情報を有しているか、否かの判定を行う（図４のＳ１）。
【００３０】
この管理情報とは、この実施形態では、ＡＶＣＨＤ（登録商標）規格で定められた管理情報とし、例えば、図５に示すＡＶＣＨＤ（登録商標）規格のフォルダ構成を有していれば、管理情報を有していると判定する。
【００３１】
図５に示すＡＶＣＨＤ（登録商標）規格のフォルダ構成を用いてさらに詳しく説明する。
【００３２】
ＡＶＣＨＤ（登録商標）規格では、ルートフォルダの下層に、ＡＶＣＨＤ（登録商標）規格独自のＰＲＩＶＡＴＥ（プライベート）フォルダ１５がある。
【００３３】
そして、このＰＲＩＶＡＴＥフォルダ１５の下層には、ＡＶＣＨＤフォルダ１６を介してＡＶＣＨＤＴＮフォルダ１７とＢＤＭＶフォルダ１８とが配置されている。このうち、ＡＶＣＨＤＴＮフォルダ１７には、サムネイル管理情報であるＴＨＵＭＢ.ＴＩＤファイルと、サムネイル情報本体であるＴＨＵＭＢ.ＴＤＴファイルとが含まれている。
【００３４】
また、上記ＢＤＭＶフォルダ１８には、インデックステーブルであるＩＮＤＥＸ.ＢＤＭファイルと、ナビゲーションコマンドであるＭＯＶＩＥＯＢ.ＢＤＭファイルとが含まれている。
【００３５】
さらに、上記ＢＤＭＶフォルダ１８の下層には、ＰＬＡＹＬＩＳＴ（プレイリスト）フォルダ１９が配置され、このＰＬＡＹＬＩＳＴ（プレイリスト）フォルダ１９には、ＭＰＬファイル１９ａが含まれている。このＭＰＬファイル１９ａには、プレイリストのどの部分にメニューのグラフィックスを表示させるかの情報が含まれている。
【００３６】
また、上記ＢＤＭＶフォルダ１８の下層には、ＣＬＩＰＩＮＦ（クリップ情報）フォルダ２０が配置され、このＣＬＩＰＩＮＦ（クリップ情報）フォルダ２０には、ＣＰＩファイルが含まれている。このＣＰＩファイルには、映像コンテンツの撮影開始時刻（ｓｔａｒｔｔｉｍｅ）や撮影終了時刻（ｅｎｄ ｔｉｍｅ）等の情報が存在している。
【００３７】
さらに、上記ＢＤＭＶフォルダ１８の下層には、ＳＴＲＥＡＭ（ストリーム）フォルダ２１が配置され、このＳＴＲＥＡＭ（ストリーム）フォルダ２１には、映像コンテンツがＴＳ（ｔｒａｎｓｐｏｒｔｓｔｒｅａｍ）の形態で記録されたＭＴＳファイル２１ａが存在している。
【００３８】
図４の説明に戻り、制御部１０は、管理情報を有する映像情報がリムーバブルメディア７内に一つでも存在すると（図４のＳ２）、図６のごとく表示部５に特定規格ボタン２２を表示する（図４のＳ３）。
【００３９】
次に、ユーザが、この特定規格ボタン２２を操作すると（図４のＳ４）、この図６に示すように、制御部１０は、特定規格ボタン２２の横に、ＡＶＣＨＤ（登録商標）規格に準拠した映像情報のタイトル２３をリスト表示する（図４のＳ５）。そして、以降は、この特定規格に従って映像情報を再生する。
【００４０】
例えば、図６におけるタイトル２３のうち、ユーザが、「笑っていいとも」をタッチ操作すると、先ずは、表示部５の上方に、制御部１０は、この選択された映像情報の選択タイトル２４を表示する。
【００４１】
次に、ユーザが、操作部１３を使って選択タイトル２４の再生操作を行うと、図７のごとく、制御部１０は、ヘッダーとして四つのシーンを表示部５に表示する。そこで、例えば、ユーザが、操作部１３を使ってシーンａをタッチ選択操作すれば、図８のごとく、選択されたシーンが再生されることになる（図４のＳ６）。
【００４２】
これに対して、制御部１０が、表示部５に特定規格ボタン２２を表示した後、特定規格ボタン２２が所定時間以上操作されない状態が継続されると、制御部１０は、特定規格に準拠した映像情報再生を行わないと判断する。
【００４３】
その後、図９のごとく、制御部１０は、特定規格ボタン２２の横に、ＡＶＣＨＤ（登録商標）規格に準拠した映像情報、およびＡＶＣＨＤ（登録商標）規格に準拠しない映像情報のタイトル２５をリスト表示する（図４のＳ７）。
【００４４】
すなわち、制御部１０は、データ読取部９を介して、リムーバブルメディア７内に記録された各映像情報を読み取り、再生可能な映像ファイルのタイトル２５をリスト表示する。この時、例えば、ＩＮＤＥＸ.ＢＤＭファイルや図５に示すＭＰＬファイル１９ａを参照し、メニューのグラフィックスに該当する映像ファイルは、再生しても正しく動作しない可能性があるので、リスト表示しないようにしてもよい。
【００４５】
次に、制御部１０は、タイトル２５のリスト表示の上方から下方へと順次再生を行うか、選択されたファイルを再生する（図４のＳ８）。もしくは、制御部１０は、ＰＬＡＹＬＩＳＴ順に再生後、他のファイルを再生する。
【００４６】
また、その再生に先立って、そのファイルに再生操作が行えない管理メニューが存在するときには、制御部１０は、表示部５に図１０のごとく、そのファイルのヘッダーに再生できない操作表示が存在することを報知するために、その再生不可の操作表示をスキップするか否かの選択表示２６を表示する。
【００４７】
したがって、ユーザはこの選択表示２６を選択すれば、再生不可の操作表示をスキップし、図１１のごとく、そのファイルの映像情報を再生することができる（図４のＳ９、Ｓ１０）。
【００４８】
なお、この（図４のＳ１０）において、図１２に示すように、制御部１０が正しく再生が出来ない可能性があることを知らせる警告表示２７を表示部５に表示しても良い。
【００４９】
また、（図４のＳ２）において、リムーバブルメディア７内に、一つも特定規格に準拠（この実施形態ではＡＶＣＨＤ（登録商標））した映像情報が存在していない場合には、制御部１０は、図４に示した特定規格ボタン２２を表示することなく、それらのファイルを再生する（図４のＳ１１、Ｓ１２）。
【００５０】
以上のごとく、本実施形態においては、特定規格に準拠した第１の映像情報、および前記特定規格に準拠しない第２の映像情報が混在記録可能なリムーバブルメディア７から映像情報を読み取るデータ読取部９と、このデータ読取部９から映像情報を取得し、この映像情報を表示部５に表示する制御部１０と、を備え、制御部１０にユーザからの操作を受け付ける操作部１２、１３が接続され、制御部１０は、データ読取部９で読み取ったリムーバブルメディア７中に、第１の映像情報が存在すると、表示部５に、特定規格に基づく再生を選択する特定規格ボタン２２を表示させ、操作部１２、１３が特定規格ボタン２２の操作を受け付けていない状態では、制御部１０は、リムーバブルメディア７に保持された第１の映像情報、および第２の映像情報のリストを、表示部５に表示する構成としたので、再生時のユーザの不安感を少なくし、自動車内などに設置したコンテンツ再生装置で映像情報を再生する際の使い勝手を良くすることができる。
【００５１】
また、本開示の第２の局面は、制御部１０は、特定規格に含まれる管理情報に基づき、正しく動作しないファイルは、表示部５にリスト表示しない構成とするものである。これにより、さらに自動車内などに設置したコンテンツ再生装置で映像情報を再生する際の使い勝手を良くすることができる。
【００５２】
すなわち、例えばＡＶＣＨＤ（登録商標）規格に基づいて記録された映像情報は、映像の初期に、再生映像を選択するメニュー画面が現れるようになっている。例えば、運動会の一シーン、発表会の一シーン、テニス大会の一シーンが現れ、それを選択すれば、希望の映像を再生することが出来る。
【００５３】
しかし、このメニュー画面は、ＡＶＣＨＤ（登録商標）規格に含まれる管理情報に従って再生しなければ、正しく動作しないものである。具体的には、特定規格の管理情報に従わず、そのメニュー画面を一つの映像情報として再生すると、上述したような複数のシーンが表れても、それを選択することが出来ず、ユーザは何が起こったのか理解できない状態となってしまう。
【００５４】
そこで、制御部１０は、特定規格に含まれる管理情報に基づき、正しく動作しないファイルは、表示部５にリスト表示しない構成とする。これにより、ユーザは、リストから再生可能な映像情報のみを選択することができ、自動車内などに設置したコンテンツ再生装置で映像情報を再生する際の使い勝手を良くすることができる。
【産業上の利用可能性】
【００５５】
以上のように本発明は、特定規格に準拠した第１の映像情報、および前記特定規格に準拠しない第２の映像情報が混在記録可能なリムーバブルメディアから映像情報を読み取るデータ読取部と、このデータ読取部から映像情報を取得し、この映像情報を表示部に表示する制御部と、を備え、制御部にユーザからの操作を受け付ける操作部が接続され、制御部は、データ読取部で読み取ったリムーバブルメディア中に、第１の映像情報が存在すると、表示部に、特定規格に基づく再生を選択する特定規格ボタンを表示させ、操作部が特定規格ボタンの操作を受け付けていない状態では、制御部は、リムーバブルメディアに保持された第１の映像情報、および第２の映像情報のリストを、表示部に表示する構成としたので、再生時のユーザの不安感を少なくし、自動車内などに設置したコンテンツ再生装置で映像情報を再生する際の使い勝手を良くすることができる。
【００５６】
したがって、コンテンツ再生装置と、そのプログラム、およびそのコンテンツ再生装置を搭載した自動車としての活用が期待されるものとなる。
【符号の説明】
【００５７】
１  自動車
２  車内
３  ハンドル
４  コンテンツ再生装置
５  表示部
６  光ディスク挿入口
７  リムーバブルメディア
８  リムーバブルメディア挿入口
９  データ読取部
１０  制御部
１１  光ディスク読取部
１２、１３  操作部
１４  スピーカ
２２  特定規格ボタン
２３、２４、２５  タイトル
２４  選択タイトル
２６  選択表示
２７  警告表示
【図１】
2014138347.tif 000003
【図２】
2014138347.tif 000004
【図３】
2014138347.tif 000005
【図４】
2014138347.tif 000006
【図５】
2014138347.tif 000007
【図６】
2014138347.tif 000008
【図７】
2014138347.tif 000009
【図８】
2014138347.tif 000010
【図９】
2014138347.tif 000011
【図１０】
2014138347.tif 000012
【図１１】
2014138347.tif 000013
【図１２】
2014138347.tif 000014